(57)【要約】ハウジング（２２）と、施錠用ボルト（３０）及び施錠用ブリーチ（１４０）と、該ハウジング（２２）内に回転可能に支持されそして周辺凹部（７２）を有して形成されたディスク部材（７０）を備える少なくとも１つの施錠用組立体（６６）と、カムホイール（８０）と、そしてリセットカム（７６）と、を具備する組み合わせ錠。施錠用部材（５６）は少なくとも１つの施錠用ラグ（５８）を有して形成されるが、該施錠用ラグは、全ての該施錠用ラグが該ディスク部材（７０）の該周辺凹部（７２）内に契合し、そこでは該施錠用ブリーチ（１４０）が該施錠用ボルト（３０）から契合解除される施錠解除位置と、該施錠用ラグ（５８）の少なくとも１つが該周辺凹部（７２）から契合解除され、そこでは該施錠用ブリーチ（１４０）が該施錠用ボルト（３０）を捕らえる施錠位置と、の間を角変位可能である。平面的に変位可能な操作用部材（１２０）は各カムホイール（８０）に対応する少なくとも１つのフォローワー（１３０）を有する。リセット機構（８８）が全ディスク部材（７０）をリセット位置内へ回転させるために提供される。
2005530063.tif 000002
【特許請求の範囲】
【請求項１】
組み合わせ錠に於いて、該組み合わせ錠が、
ハウジングと、該ハウジング内へ延び、施錠用ラッチを有して形成された、少なくとも１つの脚部分を備える施錠用ボルトと、そして前記施錠用ラッチを捕らえるための施錠用ブリーチと、
該ハウジング内に回転可能に支持された少なくとも１つの施錠用組立体と、を具備しており、各施錠用組立体は周辺凹部を有して形成されたディスク部材と、カム歯を有して形成されたカムホイールと、そしてリセットカムと、を備えており、該組み合わせ錠は又、
各々がディスク部材と対応する、少なくとも１つの施錠用ラグを有して形成された施錠用部材を具備しており、前記施錠用部材は、全ての該少なくとも１つの施錠用ラグが該対応するディスク部材の該周辺凹部内に契合しそしてそこでは該施錠用ブリーチが該施錠用ボルトから契合解除される施錠解除位置と、該施錠用ラグの少なくとも１つが該対応する周辺凹部から契合解除され、そこでは該施錠用ブリーチが該施錠用ボルトを捕らえる施錠位置と、の間で角変位可能であり、該組み合わせ錠は更に、
該少なくとも１つの施錠用組立体の各々の該リセットカムに力を印加し、それにより該組み合わされたディスク部材をリセット位置内へ回転させるためにリセット部材を備えるリセット機構と、
各カムホイールに対応し、該ハウジング内で平面的に変位可能な少なくとも１つのフォローワーを備える操作用部材と、を具備しており、
その配置は、該錠の組合せに対応する該操作用部材の予め決められた連続変位時に、該少なくとも１つのフォローワーは、それぞれのカムホイールの該カム歯と遭遇し、該少なくとも１つの施錠用組立体の各々の、該周辺凹部の各々が対応する施錠用ラグに面する位置内への、対応する連続角変位を課し、かくして該施錠用部材が該施錠解除位置内へシフトすることを可能にする、ように成っていることを特徴とする該組み合わせ錠。
【請求項２】
該ハウジング内に同軸に配置された少なくとも２つの施錠用組立体を具備しており、該施錠用部材は、対応する数の施錠用ラグを有し、該施錠位置と該施錠解除位置の間で旋回式に変位可能であるレバーの形であることを特徴とする請求項１の組み合わせ錠。
【請求項３】
該施錠解除位置で該周辺凹部が軸方向に整合されていることを特徴とする請求項２の組み合わせ錠。
【請求項４】
該施錠用部材の施錠用ラグが軸方向に整合されていることを特徴とする請求項２の組み合わせ錠。
【請求項５】
該カムホイール及び該リセットカムが該ディスク部材と一体であり、それにより該組合せが予めプログラムされることを特徴とする請求項１の組み合わせ錠。
【請求項６】
少なくとも該カムホイールが該ディスク部材から軸方向に取り外し可能であり、それによりそれは、複数の角位置の１つを予めセットするために、角度的にシフトされ得ており、それにより該錠の該組合せは何れかの個人用化された組み合わせへと変更されてもよいことを特徴とする請求項１の組み合わせ錠。
【請求項７】
該個人用化された組み合わせが該操作用部材の制限されない数の連続変位を有することを特徴とする請求項６の組み合わせ錠。
【請求項８】
該カムホイールが普通該ディスク部材から離れるよう軸方向に偏倚されることを特徴とする請求項６の組み合わせ錠。
【請求項９】
該カムホイール及び該リセットカムが相互に一体であることを特徴とする請求項６の組み合わせ錠。
【請求項１０】
該施錠用部材が、それが該ディスク部材の限られた部分の下に延び、該ディスク部材の軸方向変位が該カムホイールから契合解除するのを防止する動作位置と、それが該ディスク部材の軸方向変位を可能にするよう該限られた部分から契合を解除する組み合わせリセット位置と、の間で軸方向に変位可能であることを特徴とする請求項６の組み合わせ錠。
【請求項１１】
分離部材であるが、該分離部材が、該施錠用部材をその対応する動作位置から変位することを防止するために該施錠用部材に対して位置する第１位置と、該施錠用部材が該組み合わせリセット用位置内へ変位することを可能にするよう該分離部材が変位する第２位置と、の間で変位可能な該分離部材が更に提供されることを特徴とする請求項１０の組み合わせ錠。
【請求項１２】
該分離部材が、該ハウジング内で、該部材が該施錠用部材の下に位置する該第１位置と、該分離部材が該施錠用部材から契合解除される該第２位置と、の間で摺動式に回転可能であることを特徴とする請求項１１の組み合わせ錠。
【請求項１３】
該分離部材及び該施錠用部材の１つ又は両者が該分離部材上での該施錠用部材の変位を可能にするために滑り面を有して形成されることを特徴とする請求項１２の組み合わせ錠。
【請求項１４】
該カムホイールが複数のスパイクを有して形成された中央星状部材を有し、各スパイクは該操作用部材のフォローワーにより摺動して契合可能なカム面を有することを特徴とする請求項１の組み合わせ錠。
【請求項１５】
該カムホイールが更に該カムホイールの該周辺に隣接して配置されたカム要素の円形配列を備えており、各カム要素は該操作用部材のフォローワーにより摺動して契合可能なカム面を有することを特徴とする請求項１４の組み合わせ錠。
【請求項１６】
該操作用部材が十字状パターンで該ハウジング内で変位可能であることを特徴とする請求項１の組み合わせ錠。
【請求項１７】
該操作用部材が操作用の指契合可能なノブにより操作されることを特徴とする請求項１６の組み合わせ錠。
【請求項１８】
該指契合可能なノブが該ハウジングの前壁から突出することを特徴とする請求項１７の組み合わせ錠。
【請求項１９】
該操作用部材が人間工学的に配向されることを特徴とする請求項１７の組み合わせ錠。
【請求項２０】
該操作用部材が、該少なくとも１つのフォローワーが該カムホイールから契合解除される中立位置内へ偏倚されることを特徴とする請求項１６の組み合わせ錠。
【請求項２１】
該ハウジング内で、その中央軸の周りに平面的に配置された少なくとも２つの施錠用組立体を具備することを特徴とする請求項１の組み合わせ錠。
【請求項２２】
該施錠用部材が該中央軸の周りに角変位可能であることを特徴とする請求項２１の組み合わせ錠。
【請求項２３】
該施錠用部材が、各々がその遠位の端部に施錠用ラグを装着した、複数のラジアルアームを有する十字状部材であることを特徴とする請求項２２の組み合わせ錠。
【請求項２４】
該施錠用ブリーチが該施錠用部材と一体であることを特徴とする請求項１の組み合わせ錠。
【請求項２５】
該施錠用ブリーチが該施錠用部材に旋回可能に関節式に連結されており、該施錠用部材のその施錠解除位置内への変位が、該施錠用ボルトの該施錠用ラッチからの契合解除への該施錠用ブリーチの対応する変位を課し、そして該施錠用部材のその施錠位置内への変位が、前記施錠用ラッチとの契合への該施錠用ブリーチの対応する変位を課すことを特徴とする請求項１の組み合わせ錠。
【請求項２６】
該施錠用ブリーチが少なくとも１つのラッチ契合部分を有して形成されたバーであり、該施錠位置で該ラッチ契合部分が該施錠用ラッチと契合しそれにより該施錠用ボルトを捕らえ、そして更に該施錠用ボルトに印加された軸方向引き力が該施錠用ブリーチの該ハウジングとの契合への変位を課し、それにより前記軸方向引き力は、該軸方向力が該施錠用部材及び該少なくとも１つの施錠用組立体へ転送されないように、該施錠用ブリーチを該施錠位置で該ハウジング内で割り込ませることを特徴とする請求項２５の組み合わせ錠。
【請求項２７】
該施錠用ブリーチ及び該ハウジングの各々がが鋸歯状部分を有して形成され、それにより該鋸歯状部分の契合が該施錠位置で該施錠用ブリーチを割り込ませることを課すことを特徴とする請求項２６の組み合わせ錠。
【請求項２８】
該施錠用ラッチが該施錠用ボルト内に形成され、該施錠用ブリーチにより契合可能な凹部であることを特徴とする請求項２６の組み合わせ錠。
【請求項２９】
該施錠用ボルトの該凹部は該施錠用ボルトの縦軸線と交叉する滑り面を有して形成され、そして該施錠用ブリーチの該少なくとも１つのラッチ契合部分は対応する傾斜面を有して形成され、該施錠用ボルトの軸方向変位は該ハウジング内で該施錠用ブリーチを割り込ませることへの該施錠用ブリーチの組み合わされた軸方向の及び横の変位を課すことを特徴とする請求項２７の組み合わせ錠。
【請求項３０】
該施錠用ブリーチが該ハウジング内で割り込ませることから切り離されるよう偏倚されていることを特徴とする請求項２６の組み合わせ錠。
【請求項３１】
該リセット部材のレバーアームが該少なくとも１つの施錠用組立体の各々の該リセットカムに接線方向力成分を印加し、それにより該組み合わされたディスク部材をリセット位置内へ回転させることを特徴とする請求項１の組み合わせ錠。
【請求項３２】
該少なくとも１つの施錠用組立体が、掛け金が閉じられた時、自動的にスクランブルすることを特徴とする請求項１の組み合わせ錠。
【請求項３３】
該錠がなんきん錠であり、該施錠用ボルトがｕ字型の掛け金であることを特徴とする請求項１の組み合わせ錠。
【請求項３４】
該掛け金の両脚が該施錠用ブリーチにより契合可能な施錠用ラッチを有して形成されることを特徴とする請求項３３の組み合わせ錠。
【請求項３５】
該施錠用ボルトが該錠ハウジングから取り外し可能な１つ脚のフアスナーであることを特徴とする請求項１の組み合わせ錠。
【請求項３６】
チェーン錠であり、該施錠用ボルトが該チェーンとリンクされることを特徴とする請求項３５の組み合わせ錠。
【請求項３７】
ビルトイン錠であり、該ハウジングがドア又はフレーム部材にボルト締めされることを特徴とする請求項１の組み合わせ錠。
【請求項３８】
小火器安全錠であり、該施錠用ボルトが該小火器の引き金ガードとの施錠用契合に適合することを特徴とする請求項１の組み合わせ錠。
【請求項３９】
該リセット部材が、各々がリセットカムと対応するリセットアームを備えており、各リセットアームが該リセットカムの平坦部分に対応する平坦部分を有することを特徴とする請求項３１の組み合わせ錠。
【請求項４０】
該リセット部材が該掛け金により賦活されるリセットレバーにリンクされることを特徴とする請求項３１の組み合わせ錠。
【発明の詳細な説明】
【技術分野】
【０００１】
本発明は一般的に錠（ｌｏｃｋｓ）の分野に関し、特に、時にキーレス錠（ｋｅｙ−ｌｅｓｓ  ｌｏｃｋｓ）と呼ばれる、組み合わせ錠（ｃｏｍｂｉｎａｔｉｏｎ  ｌｏｃｋｓ）に関する。特に、本発明は操作部材（ｍａｎｉｐｕｌａｔｉｎｇ  ｍｅｍｂｅｒ）の連続的変位（ｃｏｎｓｅｃｕｔｉｖｅ  ｄｉｓｐｌａｃｅｍｅｎｔ）により施錠解除（ｕｎｌｏｃｋｉｎｇ）が得られる錠に関する。
【０００２】
この様な錠はなんきん錠（ｐａｄｌｏｃｋｓ）、ケース錠（ｃａｓｅ  ｌｏｃｋｓ）（例えばスーツケース、ブリーフケース）、ドア、窓、金庫、ロッカー、自転車等で有用である。特に本発明は操作部材の連続的変位により施錠解除される錠に関する。
【背景技術】
【０００３】
当該技術で称される組み合わせ錠はそれを開けるキーの使用を廃する錠である。この様な錠の１種は、正しい開き組み合わせ（ｃｏｒｒｅｃｔ  ｏｐｅｎｉｎｇ  ｃｏｍｂｉｎａｔｉｏｎ）に達するために異なる方向に数回回転されるべき単一ダイヤルを有する。もう１種の組み合わせ錠は正しい組み合わせ数に達する位置まで各々が回転される幾つかのダイヤルを有する。オプションでは、寧ろダイヤルより、複数の押しボタンが提供される組み合わせ錠があり、該ボタンは正しい開き組み合わせに達するために、正しいシーケンスで押されるべきものである。錠の開きを可能にするコードは時に組み合わせコード（ｃｏｍｂｉｎａｔｉｏｎ  ｃｏｄｅ）、又は開きコード（ｏｐｅｎｉｎｇ  ｃｏｄｅ）と呼ばれる。
【０００４】
上記説明の組み合わせ錠は幾つかの欠点を共有する。例えば、すなわち施錠機構に或る複雑さを与えるために、施錠機構が直列に配置される場合、それは通常、各々が別々に取り扱われる３つ以上の施錠用組立体（ｌｏｃｋｉｎｇ  ａｓｓｅｍｂｌｉｅｓ）を含む。この配置は、その開き位置へ成功裡に操作される各施錠用組立体がピッキング手順（ｐｉｃｋｉｎｇ  ｐｒｏｃｅｄｕｒｅ）をより容易くすることに帰着する。単一ダイヤル組み合わせ錠でも、唯１つの操作用ダイヤルしか有しないけれど、直列に取り扱われる３つ以上の施錠用組立体を有する。
【０００５】
上記説明の種類の錠のなお更にある欠点は、施錠機構の１つの施錠用組立体を操作するのに各々が好適な複数の要素を要する機械的複雑さである。更に、直列に配列された施錠機構は開くのにより多くの時間を要する。
【０００６】
加えて、或る組み合わせ錠では、例えそれが閉じていても（該掛け金がなんきん錠内のその開口部内に導入されていても、又は金庫のドアが閉じられていても）、その操作部材の少なくとも１つの積極的変位（ｐｏｓｉｔｉｖｅ  ｄｉｓｐｌａｃｅｍｅｎｔ）までは該錠は施錠解除の儘である。
【０００７】
なお更に、大抵の錠はその操作を確立するために該錠との視認によるコンタクトを要する。明らかに、この様な要求は盲人用又は暗がりの条件では問題である。加えて、多くの情況では、片手を用いて錠を操作することを可能にすることが必要である。この様な錠は特に病人等用に好適である。多くの他の種類の錠、特に安全錠、は電気的又は電子的に動作するが、その欠点は明らかである。
【０００８】
既知の組み合わせ又はキーレス錠は、例えば、特許文献１，２，３，４，５，６そして７で説明されている。しかしながら、これらの特許の何れも上記で述べられた欠点について適切な解決策を提供しないと考えられる。特許文献８は、各々が翻って４つのデイスクの対応するレバーと契合するよう適合した異なる長さの駆動用ピンを有する組み合わせ錠を開示している。操作用板は各回に該レバーの１つのみを変位させ、かくして或る回に１ノッチの程度に或る回の１つのデイスクの角変位を課している。
【０００９】
本発明と同じ発明人による特許文献９は改良された組み合わせ錠を開示しており、該錠は、それが１つの操作用部材を有し、そこでは開きコードは、１つの操作用部材の、いわゆるＸ−Ｙパターンでの、１連の連続平面変位により得られる点で上記説明の錠と異なる。
【００１０】
上記引用された特許により提示された概念はその分野のブレークスルーであり、従来技術の組み合わせ錠に優る多くの利点を有するが、それにも拘わらず、それは特にその設計及び組立体に関し幾つかの欠点を有する。例えば、該開示された錠は少なくとも２つの同軸に配置された回転可能な施錠用組立体を備え、各々は、直列に配置された歯付きホイール（ｃｏｇｇｅｄ  ｗｈｅｅｌ）、施錠用ディスク（ｌｏｃｋｉｎｇ  ｄｉｓｋ）、そしてリセット要素（ｒｅｓｅｔ  ｅｌｅｍｅｎｔ）を有し、それにより該錠のハウジングを可成りの寸法にして、そのため狭い空間で使用されるには好適でない。
【００１１】
本発明の目的は、上記で述べた欠点が可成り減じられるか、又は克服されそして片手で取り扱われ、該錠との視認によるコンタクト無しで該錠の容易な操作を可能にする組み合わせ錠を提供することである。
【特許文献１】米国特許第２,０４９,９８３号明細書
【特許文献２】米国特許第２,８３０,４４７号明細書
【特許文献３】米国特許第２,９３１,２０４号明細書
【特許文献４】米国特許第４,４７６,６９８号明細書
【特許文献５】米国特許第４,７３３,５４８号明細書
【特許文献６】米国特許第５,１０９,６８４号明細書
【特許文献７】米国特許第５,２６７,４６０号明細書
【特許文献８】米国特許第２,４９１,７７９号明細書
【特許文献９】米国特許第６,２９８,６９４Ｂ１号明細書
【発明の開示】
【００１２】
本発明は平面的に変位可能な１つの操作用部材を有する組み合わせ錠を唱道するものであり、そこではその操作は該錠との視認によるコンタクトを要せず、それにより該錠は制限を有する個人、例えば、幼い子供、病人｛例えば、盲人、アンピューティー（ａｍｐｕｔｅｅｓ）又は他の障害者｝によっても操作可能である。
【００１３】
本発明に依れば、組み合わせ錠が提供されるが、該組み合わせ錠は、
ハウジング、該ハウジング内に延び施錠用ラッチ（ｌｏｃｋｉｎｇ  ｌａｔｃｈ）を有して形成される少なくとも１つの脚（ｌｅｇ）部分を備える施錠用ボルト（ｌｏｃｋｉｎｇ  ｂｏｌｔ）、そして前記施錠用ラッチを捕らえる（ａｒｒｅｓｔｉｎｇ）ための施錠用ブリーチ（ｌｏｃｋｉｎｇ  ｂｒｅａｃｈ）と、
該ハウジング内に回転可能に支持される少なくとも１つの施錠用組立体（ｌｏｃｋｉｎｇ  ａｓｓｅｍｂｌｙ）と、を具備しており、各施錠用組立体は周辺凹部（ｐｅｒｉｐｈｅｒａｌ  ｒｅｃｅｓｓ）を有して形成されたディスク部材（ｄｉｓｃ  ｍｅｍｂｅｒ）と、カム歯（ｃａｍ  ｔｅｅｔｈ）を有して形成されたカムホイール（ｃａｍ  ｗｈｅｅｌ）と、そしてリセットカム（ｒｅｓｅｔ  ｃａｍ）とを備えており、該組み合わせ錠は又、
各々がディスク部材と対応する少なくとも１つの施錠用ラグ（ｌｏｃｋｉｎｇ  ｌｕｇ）を有して形成された施錠用部材（ｌｏｃｋｉｎｇ  ｍｅｍｂｅｒ）を具備しており、前記施錠用部材は、全ての該少なくとも１つの施錠用ラグが該対応するディスク部材の該周辺凹部内に契合され、該施錠用ブリーチが該施錠用ボルトから契合解除される施錠解除位置（ｕｎ−ｌｏｃｋｅｄ  ｐｏｓｉｔｉｏｎ）と、該施錠用ラグの少なくとも１つが該対応する周辺凹部から契合解除され、該施錠用ブリーチが該施錠用ボルトを捕らえる施錠位置（ｌｏｃｋｅｄ  ｐｏｓｉｔｉｏｎ）と、の間で角変位可能（ａｎｇｕｌａｒｌｙ  ｄｉｓｐｌａｃｅａｂｌｅ）であり、該組み合わせ錠は更に、
該少なくとも１つの施錠用組立体の各々の該リセットカムに力を印加し、それにより該組み合わされたディスク部材をリセット位置内に回転させるためのレバーを備えるリセット機構と、
各カムホイールに対応し、該ハウジング内で平面的に変位可能な少なくとも１つのフォローワーを備える操作用部材と、を具備しており、
該配置は、該錠の組み合わせに対応する該操作用部材の予め決められた連続変位時に、該少なくとも１つのフォローワーはそれぞれのカムホイールのカム歯に遭遇し、該周辺凹部の各々が対応する施錠用ラグに面する位置内への、該少なくとも１つの施錠用組立体の各々の対応する連続角変位を課し、かくして該施錠用部材が該施錠解除位置内へシフトすることを可能にするように成っている。
【００１４】
本発明の組み合わせ錠の第１の応用に依れば、該ハウジング内でその中央軸線の周りに平面的に配置された少なくとも２つの施錠用組立体が提供されるが、該施錠用部材は該中央軸線の周りに角変位可能である。
【００１５】
第２の応用に依れば、該錠は該ハウジング内に同軸状に配置された少なくとも２つの施錠用組立体を具備しており、該施錠用部材は対応する数の施錠用ラグを備えそして該施錠位置と該施錠解除位置の間で旋回可能式に変位可能なレバーの形である。特定の実施例に依れば、該施錠解除された位置で、該周辺凹部は軸方向に整合されており、そして更に該施錠用部材の該施錠用ラグは軸方向に整合されている。
【００１６】
本発明の実施例に依れば、該施錠用ブリーチは該施錠用部材に旋回可能（ｐｉｖｏｔａｌｌｙ）に関節式に連結されて（ａｒｔｉｃｕｌａｔｅｄ）おり、該施錠用部材をその施錠解除位置内へ変位させることは、該施錠用ボルトを引くことにより、該施錠用ブリーチの、該施錠用ボルトの施錠用ラッチからの契合解除への、変位を可能にし、そして該施錠用部材をその施錠位置内へ変位させることは該施錠用ブリーチの前記施錠用ラッチとの契合への対応する変位を課す。
【００１７】
特定の設計に依れば、該施錠用ブリーチは少なくとも１つのラッチ契合部分を有して形成されたバー（ｂａｒ）であり、該施錠位置では該ラッチ契合部分は該施錠用ラッチと契合しそれにより該施錠用ボルトを捕らえ、そして更に、該施錠用ボルトに印加された軸方向引き力は該施錠用ブリーチの該ハウジングとの契合への変位を課し、それにより前記軸方向引き力は、該軸方向力が該施錠用部材及び該少なくとも１つの施錠用組立体へ転送されないように、該施錠位置で該ハウジング内で該施錠用ブリーチを割り込ませる（ｗｅｄｇｅｓ）。１つの特定の実施例に依れば、該施錠用ブリーチ及び該ハウジングは各々鋸歯状部分を有して形成され、それにより該鋸歯状部分の契合は該施錠位置での該施錠用ブリーチを割り込ませることを課す。
【００１８】
本発明に依る該組み合わせ錠は予めプログラムされた組み合わせ型（ｐｒｅ−ｐｒｏｇｒａｍｍｅｄ  ｃｏｍｂｉｎａｔｉｏｎ  ｔｙｐｅ）であってもよく、該カムホイール及び該リセットカムは該ディスク部材と一体である。代わりに、該組み合せは操作用部材の何等かの実用的なシーケンシャルな連続変位を含むよう個人用化（ｐｅｒｓｏｎａｌｉｚｅｄ）されてもよい。従って、少なくとも該カムホイールは該ディスク部材から軸方向に取り外し可能であり、それによりそれは複数の角度的位置の１つを予めセットするために角度的にシフトされ得て、該錠の組み合わせは何等かの個人用化された組み合わせへと変更されてもよい。
【００１９】
１特定設計に依れば、該カムホイールは複数のスパイクを有して形成された中央星状部材を備え、各スパイクは該操作用部材のフォローワーにより摺動式に契合可能な（ｓｌｉｄｉｎｇｌｙ  ｅｎｇａｇｅａｂｌｅ）カム面を有する。組み合わせ数を増やすために、該カムホイールは更に該カムホイールの周辺に隣接して配置されたカム要素の円形配列（ｃｉｒｃｕｌａｒ  ａｒｒａｙ  ｏｆ  ｃａｍ  ｅｌｅｍｅｎｔｓ  ｄｉｓｐｏｓｅｄ  ａｄｊａｃｅｎｔ  ｔｈｅ  ｐｅｒｉｐｈｅｒｙ  ｏｆ  ｔｈｅ  ｃａｍ  ｗｈｅｅｌ）を備え、各カム要素は該操作用部材のフォローワーにより摺動式に契合可能なカム面を有する。
【００２０】
該操作用部材は該カムホイールの該スパイクと契合可能な、何等か適当な数のフォローワーを有してもよい。１特定設計に依れば、それと関連する協力用に、各カムホイール当たり３つのフォローワーが提供される。特定の設計に依れば、該フォローワーは該操作用部材から突出するピンの形である。
【００２１】
本発明に依れば、該組み合わせコード（ｃｏｍｂｉｎａｔｉｏｎ  ｃｏｄｅ）のリセット、すなわち、それの個人用化は、少なくとも１つの施錠用組立体のディスク部材をその組み合わされたカムホイールから契合解除し、該カムホイールを角変位させそしてそれを該ディスク部材と再契合させる時容易化される。該ディスク部材をそれらの組み合わされたカムホイールから契合解除することはそれら間の軸方向分離により実行される。この様な軸方向分離は１つ以上の傾斜面（ｒａｍｐｅｄ  ｓｕｒｆａｃｅｓ）を有して形成され、該ハウジング内で回転可能な分離部材（ｓｅｐａｒａｔｉｎｇ  ｍｅｍｂｅｒ）により達成される。前記傾斜面上を移動するのに好適な対応する部材は該施錠用組立体に軸方向力を与え、それにより該ディスク部材をそれらの組み合わされたカムホイールから分離する。
【００２２】
該施錠用組立体が平面的レイアウト内に配置された、本発明の第１の応用に依れば、各ディスク部材はその関連カムホイールから契合解除するよう偏倚され、前記対応する部材は該施錠用部材であり、そしてその軸方向変位は前記分離に帰着している。該施錠用組立体が該ハウジング内に同軸に受けられる、本発明の第２の応用に依れば、該対応する部材は、各施錠用組立体に組み合わされた結合要素に対して軸方向力を印加し、偏倚部材の軸方向偏倚効果に対して、各施錠用組立体の該ディスク部材又は該カムホイールの１つのみに軸方向変位を課する、よう適合したシート部材（ｓｅａｔ  ｍｅｍｂｅｒ）である。
【００２３】
本発明を理解しそれが実際に如何に実行されるかを見るために、付属する図面を参照し、限定しない単なる例により、幾つかの実施例がここで説明される。
【実施例１】
【００２４】
付属する図面を参照する下記説明では、図解される実施例はなんきん錠（ｐａｄｌｏｃｋ）である。しかしながら、該錠は寧ろ、いわゆる自転車チェーン錠（ｂｉｃｙｃｌｅ  ｃｈａｉｎ  ｌｏｃｋ）、ハウジングがドア又はフレーム部材（又はケースの部品、例えばブリーフケース等）にボルト締めされるビルトイン錠（ｂｕｉｌｔ−ｉｎ  ｌｏｃｋ）、小火器安全錠（ｆｉｒｅａｒｍ  ｓａｆｅｔｙ  ｌｏｃｋ）他であってもよいことは評価されるところである。
【００２５】
最初に図１及び２に向かうと、確実に組み立てられた頂部壁（ｔｏｐ  ｗａｌｌ）２４，ベース壁（ｂａｓｅ  ｗａｌｌ）２６そして周辺壁（ｐｅｒｉｐｈｅｒａｌ  ｗａｌｌ）２８を有して形成されたハウジング２２を備える２０と総称されたなんきん錠が図解されている。Ｕ字状の掛け金（Ｕ−ｌｉｋｅ  ｓｈａｃｋｅｌ）３０は、両方共頂部壁３２を通して該ハウジング内に受けられる短脚及び長脚３１を有し、そこでは該掛け金の少なくとも該長脚３１は、一様なシリンダー（図１）であるか２つの半分３４Ａ及び３４Ｂ（図２）から作られるいたずら防止のガード用シリンダー３４により取り付けられている。
【００２６】
指契合可能な操作片（ｆｉｎｇｅｒ−ｅｎｇａｇｅａｂｌｅ  ｍａｎｉｐｕｌａｔｉｎｇ  ｐｉｅｃｅ）３８は、この後明らかになる様に、十字状パターン、すなわち、Ｘ−Ｙ状パターンで、該頂部壁２４上で変位可能である。該頂部壁２４はＸ字状の開口部４４を有して形成され、それを通して操作ノブ（ｍａｎｉｐｕｌａｔｉｎｇ  ｋｎｏｂ）１３４が突出する。該頂部壁２４は又配向指標（ｏｒｉｅｎｔａｔｉｏｎ  ｉｎｄｉｃｉａ）を有して形成され、該指標は本例では１から０までの数字である。しかしながら、数字より寧ろ、他の文字（ｃｈａｒａｃｔｅｒｓ）、例えば、字（ｌｅｔｔｅｒｓ）、記号（ｓｉｇｎｓ）、ブレイル記号（Ｂｒａｉｌｌｅ  ｓｉｇｎｓ）が提供されてもよく、或いは何の指示もなくてもよい。
【００２７】
該ハウジング２２の底壁（ｂｏｔｔｏｍ  ｗａｌｌ）２６は中央支持ピン（ｃｅｎｔｒａｌ  ｓｕｐｐｏｒｔ  ｐｉｎ）５０と４つの平面的に配置された支持ピン５２を有して形成される。十字状の施錠用部材（ｌｏｃｋｉｎｇ  ｍｅｍｂｅｒ）５６は該中央支持ピン５０上に旋回可能に設置され、前記施錠用部材５６はそれらの各１つの端部に施錠用ラグ（ｌｏｃｋｉｎｇ  ｌｕｇ）５８を有する４つのアームを備えているが、該ラグはそれらが相互を”追う（ｃｈａｓｅ）”位置で本質的に接線方向に延びており、すなわち同じ配向（ｏｒｉｅｎｔａｔｉｏｎ）を有する。施錠用部材５６は又ブリーチ契合ピン（ｂｒｅａｃｈ  ｅｎｇａｇｉｎｇ  ｐｉｎ）６２を有して形成される。施錠用部材５６は、ばね５７により、時計方向回転に、すなわち該施錠用ラグ５８と対応する方向に、偏倚される。
【００２８】
平面的に配置された支持ピン５２の各々上に６６と総称される施錠用組立体（ｌｏｃｋｉｎｇ  ａｓｓｅｍｂｌｙ）が回転可能に設置され、各々は、次の図面を参照して下記で詳細に説明される様に、周辺凹部（ｐｅｒｉｐｈｅｒａｌ  ｒｅｃｅｓｓ）７２（それらの幾つか内でのみ見られる）を有して形成された最下部のディスク部材（ｄｉｓｋ  ｍｅｍｂｅｒ）７０と、中間リセットカム（ｉｎｔｅｒｍｅｄｉａｔｅ  ｒｅｓｅｔ  ｃａｍ）７６（特定の実施例に依れば、滴状の形状を有する）と、そして複数のカム歯（ｃａｍ  ｔｅｅｔｈ）８２を有して形成された最頂部のカムホイール（ｃａｍ  ｗｈｅｅｌ）８０と、を備える。
【００２９】
本実施例に依れば、該施錠用組立体６６はユニット型の物品で、すなわち、該ディスク部材７０は該カムホイール及びリセットカムと一体に形成される。しかしながら、図１１から１３を参照して下記で説明される様に、異なる実施例に依れば、これらの部品は相互から分離可能であってもよい。
【００３０】
又４つのアーム９０を有して形成された星状のリセット部材（ｒｅｓｅｔ  ｍｅｍｂｅｒ）８８が該中央支持ピン５０上に設置されており、該アームの各々はその端部に平坦なカム契合面（ｆｌａｔ  ｃａｍ−ｅｎｇａｇｉｎｇ  ｓｕｒｆａｃｅ）９４を有して形成される。
【００３１】
リセットレバー９８はその１端では、該リセット部材８８から突出するオフセットピン１００と旋回可能に結合され、反対端には該ハウジングの該底壁２６に形成されたレセプタクル１０４内に摺動式で、旋回可能に受けられた突出ピン１０６がある。
【００３２】
相互に直角に（前壁２４の開口部４４のＸ−Ｙ配向に対応するように）横断する複数の凹部１１４及び１１６を有して形成されたガイド用トラック部材１１０が、支持ピン５０及び５２上に固定的に位置付けられている。該ガイド用トラック部材１１０は該ハウジング内に他の仕方で、例えば、該前壁２４から又は該側壁からの適当な突起により、取り付けられてもよい。更に、該ガイド用トラック部材１１０が４つの上方へ突出するスタッド１１８を有することを注意する。
【００３３】
４つの十字状凹部１２４を有して形成されたプレートの形の操作部材（ｍａｎｉｐｕｌａｔｉｎｇ  ｍｅｍｂｅｒ）１２０が該ガイド用トラック部材１１０の上に摺動式に配置されており、各該凹部は該ガイド用トラック部材１１０の対応するスタッド１１８を摺動式に受けており、それにより該操作部材１２０がＸ−Ｙ配向でのみ変位可能であることを保証する。下記で明らかになる様に、カムホイール８０のカム歯８２との契合用に好適な３つのフォローワーピン１３０の形のフォローワーの４つの等しく配置されたセットが該操作用部材１２０から下方へ突出している。
【００３４】
該操作部材１２０から中央で突出して、操作用ノブ１３４があり、該ノブは開口部４４を通して延び、該操作用指契合可能ノブ３８と契合可能である。
【００３５】
施錠用ブリーチ１４０は、該頂部壁３２に隣接して、該ハウジングの頂部部分で摺動式に受けられた固体部材の形であり、前記施錠用ブリーチは掛け金３０の施錠用ラッチ１５０及び１５２とのそれぞれ契合用に２つのラッチ契合用突起１４４及び１４６を有して形成されている。該ブリーチは、それは横断方向、すなわち頂部壁３２の方へ、或る程度の変位も有するが、２つのポスト１４１により該ハウジング内に横への摺動式に保持される。
【００３６】
該ブリーチ１４０の頂面１５６は、以下で明らかになる目的で、頂部壁３２の鋸歯状内面（ｓｅｒｒａｔｅｄ  ｉｎｎｅｒ  ｆａｃｅ）１６０の様に対応する部材内で鋸歯状化（ｓｅｒｒａｔｅｄ）されている。該施錠用ブリーチ１４０は、該施錠用ブリーチ１４０のレセプタクル（ｒｅｃｅｐｔａｃｌｅ）１６６内に摺動式で旋回可能に受けられ、該施錠用部材から突出するブリーチ契合ピン（ｂｒｅａｃｈ  ｅｎｇａｇｉｎｇ  ｐｉｎ）により施錠用部材５６と旋回可能に結合される。該施錠用ブリーチ１４０は通常は下方位置内へ偏倚され、アイフック（ｅｙｅ  ｈｏｏｋ）１７２で該施錠用ブリーチ１４０へ、そして該ハウジング内に形成された適当なばねフック１７４へ、掛けられたコイルばね１７０により、該ハウジングの鋸歯状内面１６０から契合解除されている。
【００３７】
今図３に向かうと、該錠は施錠位置（ｌｏｃｋｅｄ  ｐｏｓｉｔｉｏｎ）で図解されており、すなわちそこでは該掛け金３０は捕らえられ、該ハウジングから引き込められなくてもよい。この位置では、該施錠用ラグ５８の１つ、２つ又は３つは該施錠機構の施錠解除を課す前の過程で、それらの対応する周辺凹部７２の反対に位置付けられてもよいが、該施錠用部材５６の全ての施錠用ラグ５８は該ディスク部材７０のそれらの対応する周辺凹部７２から契合解除されている。図３の施錠位置では、該施錠用部材５６は時計方向の、すなわち、該周辺凹部７２とのラグ５８の契合への、角変位を防止されており、かくして該施錠用ブリーチ１４０はその最も左の位置に留まり、それによりラッチ契合部分１４４及び１４６は、該掛け金３０の対応する施錠用ラッチ１５０及び１５２とそれぞれ契合して留まり、該錠の開き、すなわち、該掛け金の変位を防止する。
【００３８】
今度は図４で参照された位置へ向かうと、該錠２０は、なお開いてはおらず、すなわち掛け金３０は該ハウジング内のその位置内に留まるが、その施錠解除位置（ｕｎｌｏｃｋｅｄ  ｐｏｓｉｔｉｏｎ）にある。この位置で、施錠用部材５６の全てのラグ５８は該ディスク部材７０のそれらのそれぞれの周辺凹部７２内で受けられ、それによりコイルばね５７（図２）の偏倚効果の下で、該施錠用部材５６は、該ラグ５８の該それぞれの周辺凹部７２との契合を実現するために、時計方向に回転する。この位置でのみ、該施錠用ブリーチ１４０は、掛け金３０の矢印１９２の方向に引く影響下で矢印１９０の方向に右へ変位する。これは、矢印１９０により表される軸線方向に、該施錠用ブリーチ１４０のラッチ契合部分１４４及び１４６の対応する傾斜面１９８に軸方向力を印加する該掛け金３０のそれぞれ施錠用ラッチ１５０及び１５２の傾斜面１９４により得られる。
【００３９】
かくして、該配置は、該施錠用ブリーチ１４０と該掛け金３０がそれらの位置を変えず該錠は閉じた儘であるが、図４に於ける様に、該錠は施錠解除位置にあるようになっている。この配置は、該施錠用部材５６がその開き位置内へ変位する時、それがその開き位置内への該施錠用ブリーチ１４０の対応する変位を必ずしも課さないことを保証することにより得られる。これは、該ブリーチ契合ピン６２の変位が該施錠用ブリーチ１４０の対応する変位を要しないように（該施錠用ブリーチの）該凹部１６６を形成することにより得られる。
【００４０】
図５Ａ及び５Ｂは、施錠位置での、そしてその位置の間該錠を開かせる（図５Ｂ）企てに於ける、本発明に依る錠を図解する。明瞭化のため、施錠用組立体の１つだけを図解し、幾つかの他の要素も同様に取り除いた。
【００４１】
図５Ａで、錠２０は施錠位置にあり、すなわち施錠用ラグ５８の少なくとも１つがディスク部材７０のその対応する周辺凹部７２に対しオフセットして延びて、それにより施錠用部材５６の時計方向の変位は許されず、すなわち該施錠機構は、該施錠用ブリーチ１４０の対応する変位が該掛け金３０から契合解除することを可能にするために開いた位置内へ変位することはない。
【００４２】
その部分の上昇である、図５Ａの拡大部分で図解される様に、対応する鋸歯状部分である、施錠用部材１４０の１５６、及び頂部壁３２の１６０はその間に狭いギャップを有して相互から契合解除されている。しかしながら、矢印２０２（図５Ｂ）の方向に掛け金３０を引く企ては該頂壁３２の方への施錠用部材１４０の変位を課し、それにより該鋸歯状面１５６及び１６０は該拡大部分で明らかに図解されるように契合する。該鋸歯状部分が嵌合すると、該施錠用ブリーチ１４０は該施錠用ブリーチ１４０のラッチ契合部分１４４及び１４６が該掛け金３０の対応する施錠用ラッチ１５０及び１５２内に契合した儘でいるように、施錠位置内に捕らえられる。該施錠用ブリーチ１４０は、矢印２０２の方向の該掛け金への力の印加にも拘わらず図４に於ける様に矢印１９０の方向には変位しない。
【００４３】
矢印２０２の方向（図５Ｂ）の該掛け金３０に印加される該力は該施錠用ブリーチ１４０により完全に受けられ、該ブリーチは今度はその力をハウジング２２に印加し、それにより該施錠機構の部品はその引き力により影響されず、かくして変形又は破損することがないことは更に評価されよう。
【００４４】
該操作部材１２０を操作すると、該施錠用組立体６０は矢印２０８の方向に１連の角変位を行い（図６Ａ）、それにより該１連の変位を完了すると、該ディスク７０の全ての周辺凹部７２は、該施錠用部材５６の対応する施錠用ラグ５８に面するよう位置付けられる。施錠用部材５６は通常、該施錠用ラグ５８が該ディスク部材７０の該周辺に対抗して位置するように、該ばね５７（図２）により矢印２１０（図６Ｂ）の方向に偏倚される。全ての凹部が該施錠用ラグに面した時、しかしながら、正しい操作、すなわち開き組み合わせに対応する正しい操作の時だけ、該施錠用ラグは該凹部７２との契合へと変位する。
【００４５】
図６Ｂの位置で、該施錠用部材５６が凹部７２内への契合へのその角変位を行った後、該掛け金３０は矢印２１４の方向へ引かれてもよく、そこでは第１段階でそれは矢印２１８の方向の施錠用ブリーチ１４０の摺動変位を課しそして次いでそれからの契合を解除し、該掛け金の軸方向変位及びその除去を可能にする。しかしながら、異なる変型（示されてない）により掛け金３０の該長脚３１が該ガード用シリンダー（ｇｕａｒｄｉｎｇ  ｃｙｌｉｎｄｅｒ）３４内に捕らえられた儘でいることも評価されよう。
【００４６】
今度は本発明の操作機構を図解する図７及び８に更に注意が向けられる。図７Ａおよび７Ｂでは、該操作用部材１２０が該ガイド用トラック部材１１０上で、１つの施錠用組立体６０を用いて図解される。該操作用部材１２０は、ガイド用トラック部材１１０から、該操作用部材１２０の対応する十字状凹部１２４内へのピン１１８の突出のためにＸ−Ｙ変位のみが出来る。本発明の実施例に依れば、該操作用部材１２０は１つ以上の適当なばね（示されてない）により図７Ａの中立位置内へ偏倚される。
【００４７】
図７Ａで、該操作用部材１２０は中立位置にあり、この特定の実施例では該フォローワーピン１３０のどれもカムホイール８０の対応するカム歯８２と契合しない。図７Ｂは１つの位置を図解するが、そこでは、該操作用部材１２０が矢印２２２の方向に摺動式に変位させられ、それにより該フォローワーピン１３０の１つが、そのカム面に対し摺動している面するカム歯（ａ  ｆａｃｉｎｇ  ｃａｍ  ｔｏｏｔｈ）８２と契合し、矢印２２６の方向の該施錠用組立体６０の対応する角変位（回転）を課する。
【００４８】
図８Ａ−８Ｆはスーパーインポーズされた平面図を図解しており、破線で操作用部材１２０を、実線でカムホイール１８０を示す。上記で既に述べた様に、該操作用部材１２０は３本のフォローワーピン１３０を４セット有し、各セットは１つの施錠用組立体６０と対応する。図８Ａ−８Ｆでは、該図解されたカムホイール８０と対応するセットのフォローワーピンが塗られて（ｄａｓｈｅｄ）おり、それは、塗られてない他のセットのフォローワーピンからそれらを区別するためである。操作のシーケンスを説明するために、関連するフォローワーピンは１３０Ａ、１３０Ｂそして１３０Ｃとして識別される。更に、十字状凹部１２４内で摺動可能な該ガイド用トラック部材１１０（示されてない）から突出する１本のピン１１８（他のものは明瞭化のために除去された）が示されている。
【００４９】
最初に図８Ａに向かうと、該操作用部材１２０は、該ガイド用トラック部材１１０のピン１１８が該十字状凹部１２４内で中央に位置付けられるように、その中立位置で図解される。この位置で、該フォローワーピン１３０Ａ、１３０Ｂ又は１３０Ｃのどれもカムホイール１８０のカム歯の何れとも契合しない。
【００５０】
図８Ｂは操作用部材１２０の矢印２３２の方向の変位時の位置を図解し、その時デューティフォローイングピン（ｄｕｔｙ  ｆｏｌｌｏｗｉｎｇ  ｐｉｎ）１３０Ｂはカム歯８２Ａに遭遇し、矢印２３６の様な、反時計方向のカムホイール８０の回転を課する。
【００５１】
矢印２３２と同じ方向の該操作用部材１２０の更に進む変位は、カム歯の内側配列のデューティカム歯８０Ｂ内の次のものとの契合へとデューティフォローイングピン１３０Ｂのデューティカム２８０Ａから契合解除を課し、矢印２３８により表される様に時計方向の該カムホイール８０の回転に帰着する。今度は、ピン１１８は十字状凹部１２４のそれぞれの部分の端部に達したので、該操作用部材１２０はその下方への行程のその終わりにある。該操作用部材１２０を矢印２４２の方向でその中立位置へ戻すことが今や必要であり、その時デューティフォローワーピン１３０Ｂは再びデューティカム歯８２Ａと遭遇するが、今度はそれとその内面で遭遇し、矢印２３８に依る様に時計方向の該カムホイール８０の回転を課す。
【００５２】
一旦該操作用部材１２０が図８Ｄに於ける様にその中立位置に達すると、それは今度は左右配向で変位させられる。右方へ、すなわち矢印２４２の方向の該操作用部材１２０の変位時、デューティフォローワーピン１３０Ｃはデューティカム歯８２Ｂと遭遇し、矢印２３６に依る様に反時計方向の該カム歯８０の回転を与える。矢印２４２と同じ方向の該操作用部材１２０の更に進んだ変位は該デューティフォローイングピン１３０Ｃのもう１つのデューティカム歯８２Ｃとの遭遇を課し、矢印２３８により図解される時計方向のカムホイール８０の回転を課す。
【００５３】
該操作用部材１２０が変位させられる各度に、同様でそして同時に、全ての施錠用組立体は回転させられる。しかしながら、或る場合には、該操作用部材の変位が１つ以上の該施錠用組立体の対応する回転に必ずしも帰着しないように設計されてもよい。該錠のいわゆる開きの組み合わせは変位のシーケンスの何等かの望まれたパターンと長さへと予め設計されてもよいことは更に評価される。
【００５４】
操作の上記図解された操作のシーケンスでは該カムホイール８０は時計方向及び反時計方向の両者で回転したが、特定の実施例により、一様な方向でのこの様な角変位は、しかしながら、該カム歯の特殊な設計と他の幾何学的考慮によることは評価されるべきである。
【００５５】
該操作用部材１２０の予め決められた連続的変位の完了時、全ての該施錠用組立体６６は、該ディスク部材８０の周辺凹部７２が対応する施錠用ラグ５８に面するよう配向され、それにより該施錠用ラグ５８はばね５７の偏倚効果の下で該凹部７２内へ自然に変位し、それにより上記で論じられた様に錠を施錠解除する。
【００５６】
上記開示は該施錠用部材５６を該ディスク部材８０との契合へと偏倚することを述べるが、これは単に例であり、前記偏倚効果が省略されてもよいことは評価されよう。しかしながら、前記偏倚は、該施錠用部材が、例えば揺動（ｓｈａｋｉｎｇ）等の時、容易にそして意図せずに変位しないように、施錠解除位置を得ることを助ける。
【００５７】
本発明を更に理解するために、底面等角図で該施錠用部材５２と該施錠用組立体６６を図解する図９Ａ−９Ｃを今度は参照するが、そこでは明瞭化するため個別施錠用組立体は６６Ａ、６６Ｂ、６６Ｃそして６６Ｄとして識別され、それらのそれぞれの部品は同じ参照文字で識別される。
【００５８】
図９Ａで、施錠用ラグ５８Ｃだけが該施錠用組立体６６Ｃの対応する周辺凹部７２Ｃの反対に延びるが、施錠用部材５２がその施錠解除位置内へ角変位出来ないように、施錠用ラグ５８Ａ、５８Ｂそして５８Ｄはそれらの対応するディスク部材７０Ａ、７０Ｂそして７０Ｄの周辺面に対するよう位置する。
【００５９】
図９Ｂでは、該施錠用組立体６６は更に回転しそれにより周辺凹部７２Ａ、７２Ｃそして７２Ｄはそれぞれ対応する施錠用ラグ５８Ａ、５８Ｃそして５８Ｄに面する。しかしながら、該周辺凹部７２Ｂがその対応する施錠用ラグ５８Ｂに未だ面してない事実のために、該施錠用部材５２はその施錠解除位置内へ、すなわち該周辺凹部７２内への該施錠用ラグ５８の契合への回転を妨げられる。図９Ｃでは、全ての該施錠用組立体６８Ａ−６８Ｄがその適当な位置内へのそれらの角変位（回転）を完了し、そこでは該施錠用ラグ５８Ａ−５８Ｄはそれぞれの該周辺凹部７２Ａ−７２Ｄ内へ変位し、該施錠用部材５２の矢印２５６の方向の角変位を課す。
【００６０】
図１０Ａ−１０Ｃは錠のリセット機構を述べる。リセット機構は、予め決められた連続変位の終わりに全ての周辺凹部がそれぞれの施錠用ラグと面し、該錠が施錠解除位置内へシフト出来るようにするよう、いわゆる”ゼロ位置（ｚｅｒｏ  ｐｏｓｉｔｉｏｎ）”で各操作セション（ｍａｎｉｐｕｌａｔｉｎｇ  ｓｅｓｓｉｏｎ）を始めるために必要である。図１０Ａ−１０Ｃは底面等角図であり、そこでは該施錠用組立体は６６Ａ−６６Ｄとして識別され、それらのそれぞれの部品は同じ特徴付け文字で識別される。明瞭化のために、該ディスク部材はカットオフされ、１つのデスク部材７０Ｂのみがそのそれぞれの位置を例示するために破線で図解される。
【００６１】
該リセット部材８８は４つのアームを有し、各該アームは、各々がそれぞれリセットカム７６Ａ−７６Ｄに対応する平坦なカム契合面（ｃａｍ−ｅｎｇａｇｉｎｇ  ｓｕｒｆａｃｅ）８８Ａ−８８Ｄをその端部に有して形成される。該リセットカム７６Ａ−７６Ｄの各々は本質的に平坦なベース部分７７Ａ−７７Ｄをそれぞれ有する滴状の形状（ｄｒｏｐ−ｌｉｋｅ  ｓｈａｐｅ）を備えるが、それによりそれらの平坦面７７Ａ−７７Ｄが図１０Ｃの位置にある様に該リセット部材８８のそれぞれの対応する平坦面８８Ａ−８８Ｄに対して位置するように全てのリセットカムが配向される時、いわゆる’ゼロ位置（ｚｅｒｏ  ｐｏｓｉｔｉｏｎ）’又は’リセット位置（ｒｅｓｅｔ  ｐｏｓｉｔｉｏｎ）’が得られる。
【００６２】
図１０Ａは該リセットカム７６Ａ−７６Ｄの任意の位置を図解する。図１０Ｂで、掛け金３０は矢印２６０の方向に押し下げされそれによりその長脚３１は該リセットレバー９８を押し下げ、該平坦面８８Ａ−８８Ｄが該リセットカム７６Ａ−７６Ｄのカム面に遭遇するよう該リセット部材８８の対応する角変位を課し、図１０Ｃの位置を得るように該リセットカムの回転に帰着する力の接線モーメントを印加するが、そこでは該平坦面８８Ａ−８８Ｄはそれぞれのリセットカム７６Ａ−７６Ｄの対応する平坦面７７Ａ−７７Ｄ上に静止する。
【００６３】
図１０Ｂで気付く様に、該リセット動作は図１０Ｂ及び１０Ｃの矢印２６２の方向での該リセット部材の回転を課すが、該施錠用組立体６６Ａ−６６Ｄは図１０Ｂのそれぞれ矢印２６６Ａ−２６６Ｄにより図解される適当な方向で回転する。
【００６４】
図１から１０で図解される実施例は錠と施錠機構を図解し、従ってそこでは施錠解除の組み合わせは製造者のレベルで予め決定されそしてユーザーによる専用化又は個人用化（ｐｅｒｓｏｎａｌｉｚｅｄ）はされない。図１１から１３を参照して図解される更に進んだ実施例は、該錠の組合せが、変位のどんな望まれるシーケンスにも、のみならず操作のどんな長さのシーケンスにも、ユーザーにより個人用化されてもよい実施例を図解する。
【００６５】
この実施例に依る錠は事実上前の実施例の錠と同様であり、主な差は、集合的に３６６と呼称され該施錠用組立体が、幾つか（本例では３）の軸方向に突出するピン３７４及び３７６を有して形成されたリセットカム３７２と一体のカムホイール３７０を具備することにある。しかしながら、ディスク部材３８０は、分離可能であり、そして周辺凹部３８２を有し、かつ、該リセットカム３７２の突出するピン３７４及び３７６をそれぞれ受けるよう適合された複数の開口部３８６及び３８８をその頂部面に有して、形成されている。従って、該ディスク部材３８０は、相互に同軸ではあるが、該リセットカム３７２及びカムホイール３７０に対し異なる角度の配置で位置付けられてもよい。コイルばね３９０は該ディスク部材３８０と該リセットカム３７２の間に延び、該２つの部品を相互から離れるよう偏倚させている。
【００６６】
更に進んだ差異は、図１２Ａでも見られる得る様に、底壁に形成されたアーク状の（ａｒｃｅｄ）凹部を通して軸方向に突出するピン４００を有する該底壁３９８上に回転可能に配置された分離部材（ｓｅｐａｒａｔｉｎｇ  ｍｅｍｂｅｒ）３９４の追加に存在する。
【００６７】
又、該分離部材３９４が、平面的に配置された支持ピン４１６を受けるのに好適な凹部４１２を有する４つの傾斜付き面（ｒａｍｐｅｄ  ｓｕｒｆａｃｅｓ）４１０を備えて形成されていることを注意する。従って、分離部材３９４は該ハウジング内で制限された仕方で、時計方向のみに、回転可能であることは評価されよう。
【００６８】
図１２Ａから１２Ｃの実施例による錠は前の実施例に関連して開示されたと同じ仕方で動作する。しかしながら、該錠の組み合わせを個人用化することを要する時、該錠は、上記で論じられ、例えば図４，６Ｂそして９Ｃで図解された様に、最初に施錠解除位置へ操作され、そこでは該施錠用部材５２の施錠用ラグ５８はディスク３８０の周辺凹部３８２内へ突出する（１２Ｂ）。この位置では、（図１３Ａも参照）該施錠用部材５２の周辺部分、すなわち該ラグ５８は該分離部材３９４上に乗り、該分離部材は該施錠用部材５２を該底部壁３９８に対し幾分持ち上げられた位置に保持し、今度は該施錠用組立体３６６を対応する位置に保持し、すなわち該ディスク部材３８０はばね３９０の偏倚効果の下で該リセットカム３７２から分離しない。
【００６９】
しかしながら、該分離部材３９４が矢印４１８により図解される様に時計方向に回転されると（図１２Ａ及び１２Ｃ）、該施錠用部材５２は回転せずそれによりそれはコイルばね３９０の偏倚効果の下で該ディスク部材３８０と一緒に軸方向に変位させられ、図１２Ｃ及び１３Ｂで図解される様に該リセットカム３７２からの該ディスク部材３８０の分離に帰着する。この情況でユーザーは該操作部材の１連の連続変位を行うことにより該錠の新しい組み合わせを個人用化してもよい。一旦該ディスク部材３８０が該リセットカム３７２と再契合される（図１３Ｃ）と、新組合せはセットされそして該分離部材３９４がその元の位置に戻ると、該新組み合わせはその儘となる。
【００７０】
図１３Ａから１３Ｃまでで最も良く見られる様に、該ディスク部材３８０は同軸の下方への突起４１３を有し、該突起の高さは該分離部材３９４の厚さのみならず該施錠用部材５２の厚さに概略対応し、それにより該施錠用部材５２と該分離部材３９４の変位時の容易な契合と契合解除を実現する。
【００７１】
図１から１３の実施例では、該施錠用ブリーチ１４０は該施錠用部材５２にリンクされそれにより操作される分離部材の形であった。図１４Ａから１４Ｃには該施錠用ブリーチが該施錠用部材と一体である異なる実施例が図解されている。
【００７２】
この実施例に依れば該施錠用部材４３０は２つのブリーチアーム４３２及び４３４と一体に形成されており、該アームの各々は、Ｕ字状の掛け金の形の、施錠用ボルト４５０の施錠用ラッチ４４４及び４４６をそれぞれ捕らえるよう適合されたラッチ契合部材（ｌａｔｃｈ  ｅｎｇａｇｉｎｇ  ｍｅｍｂｅｒ）４３８及び４４０をそれぞれその端部に有して形成されている。
【００７３】
該配置は、該施錠位置で（図１４Ａ）、該施錠用ラグが該ディスク部材の凹部内に契合出来ないので、該施錠用部材４３０がその比較的反時計方向に配置された位置にあるようになっている。結果として、該ラッチ契合部材４３８及び４４０は掛け金４５０の該施錠用ラッチ４４４及び４４６とそれぞれ契合し、該掛け金の引き込みを防止する。
【００７４】
該施錠機構をその施錠解除位置内へ操作すると（図１４Ｂ）、該施錠用ラグは該ディスク部材のそれぞれの周辺凹部内へ突出し、それにより該施錠用部材は反時計周りの仕方で変位し、該ラッチ契合部材４３８及び４４０の右への対応した変位を課し、該施錠用ラッチ４４４及び４４６から契合解除し、かくしてそれぞれ図１４Ｃに於ける様に該掛け金４４０を引き抜くことを可能にする。
【００７５】
図１４Ａ−１４Ｃに於いて述べた実施例は前の実施例の於けると同じ要素を主に具備しており、読者は該錠が施錠位置及び施錠解除位置の間で如何に操作されるかを理解するために上記説明へ導かれることは評価されよう。更に、該錠は予めセットされた組み合わせを有するものであっても又は該組合せが図１１−１３と関連して論じられた様に個人用化されたものであってもよい。
【００７６】
図１から１４の前記実施例で、該施錠用組立体は平面的な仕方で配置され、すなわち該施錠用組立体が本質的に同じ平面にあるように、該錠の中央軸（中央支持ピン）と平行な軸（支持ピン）上に設置されている。該施錠用組立体の数は１つと、該錠をより安全にする何等かの他の実用的数と、の間で異なってもよい。異なる応用に依れば、該施錠用組立体は同軸状に整合され、すなわち、図１５−１８の実施例で図解される様に、相互の頂部上に延びている。該図は３つの施錠用組立体を図解するが、何等かの実用的数が適用されてもよい。
【００７７】
５００と総称される錠は底部ベース５０２及び頂部ケーシング５０４から成るハウジングと、その上で摺動式に変位可能である操作用ノブ５０５を有するカバー５０３と、を具備する。該錠は更にＵ字状の掛け金の形の施錠用ボルト５０６を具備する。掛け金５０６は短脚５０８と、そこから除去可能ではないが該ハウジング内で軸方向にそして旋回可能に受けられる長脚５１０と、を有する。該短脚５０８は凹部の形の施錠用ラッチ５１４を有して形成され、該長脚５１０は凹部５１８と、組み合わせピン５２０及びリセットピン５２４と、を有して形成されるが、その目的は下記で明らかになろう。中央軸５２８の上に同軸に設置された３つの施錠用組立体５３０があり、各々は周辺凹部５３６と、リセットカム５４２と星の形（ｓｈａｐｅ  ｏｆ  ａ  ｓｔａｒ）のカムホイール５４６と、を有して形成されたディスク部材５３４を備える。普通の過程の動作では、施錠用組立体５３０の部材は相互に対して位置し、該カムホイール５４６及び該リセットカム５４２を通して延びる結合要素（ｃｏｕｐｌｉｎｇ  ｅｌｅｍｅｎｔ）５５０により相互に回転可能に契合されており、そしてディスク部材５３４内に形成されたそれぞれのアパーチャー５５６内へ突出する２つの軸方向突起５５２を含む。該３つの施錠用組立体５３０の配列はコイルばね部材５６１により下方の方向にばね偏倚されている。
【００７８】
図１６で気付かれるが、該頂部ケーシング部材（ｔｏｐ  ｃａｓｉｎｇ  ｍｅｍｂｅｒ）は平行に配向された２つの十字状スロット５０８を有する。又該十字状スロット５０８のそれぞれの部分に平行に延びる２つの平行スロット５１０が提供される。
【００７９】
該ハウジング内で平面的に変位可能で、該頂部ケーシング５０４の下に延びる２つのスライド（ｓｌｉｄｅｓ）５１２及び５１６があり、そこでは上部スライド（ｕｐｐｅｒ  ｓｌｉｄｅ）５１２は該十字状凹部５０８内で摺動式に受けられる２つの上方への軸方向突起５２０を有して形成され、該底部スライド（ｂｏｔｔｔｏｍ  ｓｌｉｄｅ）５１６は該直線形スロット５１０内で摺動式に受けられる２つの上方への軸方向突起５２４を有する。両スライド５１２及び５１６は、該ピン５２０及び５２４が該頂部ケーシング５０４内のそれらのそれぞれのスロット５０８及び５１０内で普通中央に位置付けられるように、中立位置へ偏倚される。
【００８０】
スライド５１２及び５１６の各々は２つの平行に延びる歯付きフレーム部分（ｃｏｇｇｅｄ  ｆｒａｍｅ  ｐｏｒｔｉｏｎｓ）５１７を有して形成され、該各部分は歯５１８及び５１９の形の４つのフォローワーを有する。
【００８１】
施錠用部材５３２は、軸方向に延び、該ディスク部材５３４のそれぞれの周辺凹部５３６と契合するよう配置された３つの固定施錠用ラグ５３７を有する。該施錠用部材５３２は、掛け金５０６の該施錠用ラッチ５１４を捕らえるのに好適な一体型のブロッキング部材（ｉｎｔｅｇｒａｌ  ｂｌｏｃｋｉｎｇ  ｍｅｍｂｅｒ）の形の施錠用ブリーチ５４２を有して形成された固体バー５３８上に設置される。該施錠用ブリーチ５４２はハウジングオーバーアクスル（ｈｏｕｓｉｎｇ  ｏｖｅｒ  ａｘｌｅ）５４６に旋回式に取り付けられ、反時計方向に、すなわち、該施錠用ラグ５３７がディスク部材５３４の周辺に対して偏倚されるよう、コイルばね５５０により偏倚される。しかしながら、前の応用と関連して説明された様に、該施錠用ラグ５３７の該周辺凹部５３６内への突出は、全ての周辺凹部５３６が軸方向に整合される時、すなわちその操作の後に、だけ可能になる。
【００８２】
リセット部材５６０は各々がそれぞれの施錠用組立体５３０のリセットカム５４２に面し、同軸で延ばされた３つのリセットレバー５６２を有する。該リセット部材５６０は普通は時計方向に、すなわち該リセットアーム５４２から契合解除する様な方向に、偏倚される。しかしながら、該リセット部材５６０は、該掛け金５０６を引き込めてそれを押し下げた時反時計方向に偏倚されてもよく、それによりリセットピン５２４（該長脚５１０の反対側に延びている）は該リセット部材５６０を旋回式に変位させ、それにより今度は該リセットレバー５６２は該リセットカム５４２に接線方向の力を印加し、各リセットカム５４２の平坦面が、前の応用と関連して説明された様に、該リセットレバー５６２のそれぞれの平坦面と同一平面に整合するまで、回転するようそれらを偏倚させる。
【００８３】
該施錠用部材５３０の周りの周辺位置に旋回式に取り付けられた、４つの軸方向の操作用部材５６０，５６２，５６４そして５６６が提供されており、各々は該操作部材の番号として指標文字Ａ，又はＣで呼称される複数のアーク形ブレード（ａｒｃｅｄ  ｂｌａｄｅｓ）を有する。該ブレードのアークは該カムホイール５４６のそれと対応する輪郭を有する。同じ指標文字で呼称される該アーク形ブレードの各々は対応するカムホイール５４６上での接線方向変位に好適であり、それにより操作用部材の回転は該施錠用組立体５３０の対応する変位を課す。該カムホイール５４６は１つ以上の等レベルのアーク形ブレードによる契合が可能であり、それにより該施錠用組立体は高い安全レベルで操作され得ることは評価されよう。
【００８４】
該操作用部材の各々は２重のアクスル配置（ｄｏｕｂｌｅ  ａｘｌｅ  ａｒｒａｎｇｅｍｅｎｔ）を有し、そこでは該下部のブレード５６０Ｃ、５６２Ｃ、５６４Ｃそして５６６Ｃは上部ブレードに対し独立に回転可能である。これは該アクスルの各々から延びる２つの旗状部材（ｆｌａｇ−ｌｉｋｅ  ｍｅｍｂｅｒｓ）５７０及び５７２により得られる。
【００８５】
該旗状部材５７０及び５７２はスライド５１２及び５１６の歯付きフレーム５１７内に受けられ、それによりＸ−Ｙ状パターンの該スライド５１２及び５１６の摺動変位は該操作用部材５６０から５６６の対応する角変位を与えるが、それは歯付きフレーム機構として一緒に作用する、それぞれの歯５１８及び５１９との該旗部材（ｆｌａｇ  ｍｅｍｂｅｒｓ）５７０及び５７２の契合のためである。
【００８６】
３つの施錠用組立体５３０は、幾つかの周辺ラグ５８８を有して形成され、該底部ベース５０２に取り付けられた歯付きホイール５９０と契合するリング５８４内に、同軸に受けられた軸方向に変位可能なシート部材（ｓｅａｔ  ｍｅｍｂｅｒ）５８０上に設置される。該歯付きホイール５９０は、該掛け金を押し下げた時、それが該歯付きホイール５９０に、翻って該リング５８４を回転させる回転運動を与えるように、該掛け金５０６の組み合わせピン５２０の際で回転可能である。該配置は、ホイール５８４の回転が、両部材での対応するカム面のために、上方へのシート５８０の軸方向変位を課すようになっている。ばね５６１の偏倚効果に抗するこの様な軸方向変位は該結合要素５５０のコアに軸方向力を印加し、それによりそれらはそれらのそれぞれのディスク部材５３４から契合解除するので、各施錠用組立体５３０内での該ディスク部材５３４のそれぞれの角位置を変えることが可能となる。
【００８７】
図１５で最も良く見られるが、更に、１端５９４で該ハウジングにそして反対端で掛け金５０６の凹部５１８と契合可能な突起６００を有して形成されたトグル部材５９８に取り付けられたトグルばね５９２が該ハウジング内で受けられている。施錠用部材５３２のブロック部材５３８は該トグルばね５９２に設置され、それにより２つの位置、すなわち閉じ又は開き、のどちらかに積極的に変位される。該配置は、突起６００が掛け金５０６の凹部５１８内に契合され、それにより、それぞれ、掛け金５０６を引き込むことが該トグルばね５９０の閉じ位置（すなわち該中央軸線５２８に対し凹の）内へのスナップ動作を課し、そして対応して該掛け金５０６の引き抜くことが該トグルばね５９２の開き位置（すなわち該中央軸線５２８に対し凸の）内へのスナップ動作を課すように、なっている。
【００８８】
図１８はそれらのそれぞれの協力関係をより良く理解するために底部スライド（ｂｏｔｔｏｍ  ｓｌｉｄｅ）５１６，１つの施錠用組立体５３０そして１つの操作用組立体５６０のみを図解する底面等角図である。
【００８９】
矢印６２０の方向のスライド５１６の直線的変位時、該旗状歯（ｆｌａｇ−ｌｉｋｅ  ｔｅｅｔｈ）５７０及び５７２は歯付きフレーム５１７の歯５１８及び５１９に遭遇し、それにより該ブレード５６０Ｂ及び５６０Ｃに角変位を与えるが、該後者の５６０Ｃはカムホイール５４６と同一平面にある。該ブレード５６０の角変位はカムホイール５４６に対応する角変位を課す。カムホイール５４６は更に対応するブレード５６６Ｃ、５６４Ｃそして５６２Ｃ（この図に示されてない）により角変位させられ、そしてブレード５６０Ｂは中間の施錠用組立体（ｍｉｄｄｌｅ  ｌｏｃｋｉｎｇ  ａｓｓｅｍｂｌｙ）（示されてない）の対応するカムホイール５４６と契合する。
【００９０】
該錠５００の構造は図１から１４で図解された前の応用の構造と異なるが、その原理機能は同じ仕方で動作することは評価されよう。すなわち、操作用ノブ５０５を操作することは操作部材５６０から５６６の連続角変位に帰着するスライド５１２及び５１６の変位を課し、それは今度はそれらの嵌合するカムホイール５４６へ対応する角変位を与え、かくして該ディスク部材５３４の開き位置内へ角変位に帰着し、該位置では全ての周辺凹部５３６は軸方向に整合され、該施錠用部材５３２の施錠用ラグ５３７を開き位置に面させ、そこでは掛け金５０６が引き出されてもよい。
【００９１】
更に、主として前の応用と同様に、掛け金５０６を押し下げることは、リセットレバー５６２がそれらをゼロ位置内へ回転させるために該リセットカム５４２に接線力を印加する様な該リセット部材５６０の角変位に帰着し、該位置では該リセットカム５４２の該平坦面は該リセットレバー５６２の対応する面に対して位置しそしてそこでは該リセットカム５４２は軸方向に整合される。
【００９２】
該錠の組み合わせを個人用化することは該ディスク部材５３４をそれらの組み合わせカムホイール５４６及びリセットカム５４２から軸方向に切り離し、それらの角度位置をそれらに対し変更しそして次いで該施錠用組立体を再契合することにより得られる。これは掛け金５０６を押し下げることにより得られるが、それにより該組み合わせピン５２０は歯付きホイール５９０に回転運動を与え、該回転運動はシート部材（ｓｅａｔｓ）５８０を軸方向に変位させるホイール５８４の回転に帰着し、該シートは翻って該結合要素（ｃｏｕｐｌｉｎｇｓ）５５０を軸方向に変位させ、該ディスク部材５３４から契合解除させる。
【００９３】
本発明により上記で説明された該施錠機構は、その容易で本質的に早い操作を有するが、高レベルの安全標準をも充たすよう作られている。該錠は従来の手段｛その開き位置を標定するために聴診器（ｓｔｅｔｈｏｓｃｏｐｅ）を標準ダイヤル組み合わせ錠に適用する様な｝によりピック（ｎｏｔ  ｂｅ  ｐｉｃｋｅｄ）され得ない。それにも拘わらず、該施錠機構はマスター錠及びそれ以上でも役立つよう適合されている。同じ開き組み合わせを有する追加の錠が説明された様にそれらの開き組み合わせを調整することにより容易に導入される。
【００９４】
加えて、該錠は従来技術の錠で知られない幾つかの他の重要な利点を提供し、すなわち完全な暗闇でも、片手の人でも｛両者は盲目の又は手足を失った（ａｍｐｕｔａｔｅｄ）、人用に重要な利点である｝そして手袋をはめている時も該錠を操作することが出来る。
【００９５】
本発明が関係する錠は、必要な変更を加えれば、種々の他の応用、例えば、ドア、窓、移動体ドア、ロッカー他、用に有用であることは当業者に評価されよう。
【図面の簡単な説明】
【００９６】
【図１】本発明の実施例によるなんきん錠の部分的に断面された等角図である。
【図２】図１で見た該なんきん錠の組立分解等角図である。
【図３】図２で見た錠の等角図であり、その幾つかの部品は除去され、該錠はいわゆる施錠位置にある。
【図４】図３と同様であり、該錠はなお閉じられているが該施錠機構はいわゆる施錠解除位置にある。
【図５Ａ−５Ｂ】図３に於ける様に施錠位置の該施錠機構を図解しており、図５Ｂは該錠を無理に開く（ｆｏｒｃｅ−ｏｐｅｎ）企てを図解する。
【図６Ａ−６Ｂ】該錠を開く２つの連続過程の錠を図解する。
【図７Ａ−７Ｂ】２つの連続する位置での該錠の操作機構の平面等角図である。
【図８Ａ−８Ｆ】１連の連続する操作変位での、操作部材と、カムホイールの１つと、をスーパーインポーズされた関係で図解する平面図である。
【図９Ａ−９Ｃ】該施錠用部材と該施錠用組立体の連続する位置を図解する底面等角図である。
【図１０Ａ−１０Ｃ】リセット動作の連続する位置で、該リセット機構を図解する底面等角図である。
【図１１】本発明の変型に依るなんきん錠の組立分解等角図である。
【図１２Ａ−１２Ｃ】図１１の実施例に依り錠の施錠用コードを個人用化するための連続過程を図解する。
【図１３Ａ−１３Ｃ】図１２Ｂ及び１２Ｃの線ＸＩＩＶ−ＸＩＩＶに沿う断面図であり、該錠の施錠用コードを個人用化する間の該施錠機構の連続する位置を図解する。
【図１４Ａ−１４Ｃ】それぞれ施錠された、閉じているが施錠解除された、及び開いた、各位置での本発明の実施例によるなんきん錠の等角図である。
【図１５】本発明の異なる応用に依るなんきん錠の組立分解等角図である。
【図１６】図１５の錠の、部分的に組み立てられ、部分的に組立分解された、等角図である。
【図１７】頂部カバーを除去した、図１６の錠の組立分解等角図である。
【図１８】図１６で図解された錠の施錠機構の下からの等角図である。
【図１】
2005530063.tif 000003
【図２】
2005530063.tif 000004
【図３】
2005530063.tif 000005
【図４】
2005530063.tif 000006
2005530063.tif 000007
2005530063.tif 000008
2005530063.tif 000009
2005530063.tif 000010
2005530063.tif 000011
2005530063.tif 000012
2005530063.tif 000013
【図１１】
2005530063.tif 000014
2005530063.tif 000015
2005530063.tif 000016
2005530063.tif 000017
【図１５】
2005530063.tif 000018
【図１６】
2005530063.tif 000019
【図１７】
2005530063.tif 000020
【図１８】
2005530063.tif 000021
【手続補正書】
【提出日】平成16年5月31日(2004.5.31)
【手続補正１】
【補正対象書類名】特許請求の範囲
【補正対象項目名】全文
【補正方法】変更
【補正の内容】
【特許請求の範囲】
【請求項１】
組み合わせ錠に於いて、該組み合わせ錠が、
ハウジング（２２）と、該ハウジング内へ延び、施錠用ラッチ（１５０，１５２）を有して形成された、少なくとも１つの脚部分（３１）を備える施錠用ボルト（３０）と、そして前記施錠用ラッチを捕らえるための施錠用ブリーチ（１４０）と、
該ハウジング内に回転可能に支持された少なくとも１つの施錠用組立体（６６）と、を具備しており、各施錠用組立体は周辺凹部（７２）を有して形成されたディスク部材（７０）と、カム歯（８２）を有して形成されたカムホイール（８０）と、そしてリセットカム（７６）と、を備えており、該組み合わせ錠は又、
各々がディスク部材（７０）と対応する、少なくとも１つの施錠用ラグ（５８）を有して形成された施錠用部材（５６）を具備しており、前記施錠用部材は、全ての該少なくとも１つの施錠用ラグ（５８）が該対応するディスク部材（７０）の該周辺凹部（７２）内に契合しそしてそこでは該施錠用ブリーチ（１４０）が該施錠用ボルト（３０）から契合解除される施錠解除位置と、該施錠用ラグ（５８）の少なくとも１つが該対応する周辺凹部（７２）から契合解除され、そこでは該施錠用ブリーチ（１４０）が該施錠用ボルト（３０）を捕らえる施錠位置と、の間で角変位可能であり、該組み合わせ錠は更に、
該少なくとも１つの施錠用組立体（６６）の各々の該リセットカム（７６）に力を印加し、それにより該組み合わされたディスク部材（７０）をリセット位置内へ回転させるためにリセット部材（８８）を備えるリセット機構と、
各カムホイール（８０）に対応し、該ハウジング（２２）内で平面的に変位可能な少なくとも１つのフォローワーを備える操作用部材（１２０）と、を具備しており、
前記リセット機構は該施錠用部材から分離されておりそして該施錠用ボルトの変位時賦活可能であり、そしてその配置は、該錠の組合せコードに対応する該操作用部材（１２０）の予め決められた連続変位時に、該操作用部材の該少なくとも１つのフォローワーは、それぞれのカムホイール（８０）の該カム歯（８２）と遭遇し、該少なくとも１つの施錠用組立体（６６）の各々の、該周辺凹部（７２）の各々が対応する施錠用ラグ（５８）に面する位置内への、対応する連続角変位を課し、かくして該施錠用部材（５６）が該施錠解除位置内へシフトすることを可能にする、ように成っていることを特徴とする該組み合わせ錠。
【請求項２】
該ハウジング内に同軸に配置された少なくとも２つの施錠用組立体（５３０）を具備しており、該施錠用部材（５３２）は、対応する数の施錠用ラグ（５３７）を有し、該施錠位置と該施錠解除位置の間で旋回式に変位可能であるレバーの形であることを特徴とする請求項１の組み合わせ錠。
【請求項３】
該施錠解除位置で該周辺凹部が軸方向に整合されていることを特徴とする請求項２の組み合わせ錠。
【請求項４】
該施錠用部材の施錠用ラグ（５３７）が軸方向に整合されていることを特徴とする請求項２の組み合わせ錠。
【請求項５】
該カムホイール（５４６）及び該リセットカム（５４２）が該ディスク部材（５３４）と一体であり、それにより該錠の該組合せコードが予めプログラムされることを特徴とする請求項１の組み合わせ錠。
【請求項６】
少なくとも該カムホイール（８０）が該ディスク部材から軸方向に取り外し可能であり、それによりそれは、複数の角位置の１つを予めセットするために、角度的にシフトされ得ており、それにより該錠の該組合せコードは何れかの個人用化された組み合わせへと変更されてもよいことを特徴とする請求項１の組み合わせ錠。
【請求項７】
該個人用化された組み合わせが該操作用部材の制限されない数の連続変位を有することを特徴とする請求項６の組み合わせ錠。
【請求項８】
該カムホイール（８０）が普通該ディスク部材から離れるよう軸方向に偏倚されることを特徴とする請求項６の組み合わせ錠。
【請求項９】
該カムホイール（８０）及び該リセットカム（７６）が相互に一体であることを特徴とする請求項６の組み合わせ錠。
【請求項１０】
該施錠用部材（５６）が、それが該ディスク部材（７０）の限られた部分の下に延び、該ディスク部材の軸方向変位が該カムホイール（８０）から契合解除するのを防止する動作位置と、それが該ディスク部材（７０）の軸方向変位を可能にするよう該限られた部分から契合を解除する組み合わせリセット位置と、の間で軸方向に変位可能であることを特徴とする請求項６の組み合わせ錠。
【請求項１１】
分離部材（３９４）であるが、該分離部材（３９４）が、該施錠用部材をその対応する動作位置から変位することを防止するために該施錠用部材（５２）に対して位置する第１位置と、該施錠用部材（５２）が該組み合わせリセット用位置内へ変位することを可能にするよう該分離部材が変位する第２位置と、の間で変位可能な該分離部材が更に提供されることを特徴とする請求項１０の組み合わせ錠。
【請求項１２】
該分離部材（３９４）が、該ハウジング内で、該部材が該施錠用部材の下に位置する該第１位置と、該分離部材が該施錠用部材から契合解除される該第２位置と、の間で摺動式に回転可能であることを特徴とする請求項１１の組み合わせ錠。
【請求項１３】
該分離部材（３９４）及び該施錠用部材（５２）の１つ又は両者が該分離部材上での該施錠用部材の変位を可能にするために滑り面（４１０）を有して形成されることを特徴とする請求項１２の組み合わせ錠。
【請求項１４】
該カムホイール（８０）が複数のスパイクを有して形成された中央星状部材を有し、各スパイクは該操作用部材のフォローワーにより摺動して契合可能なカム面を有することを特徴とする請求項１の組み合わせ錠。
【請求項１５】
該カムホイール（８０）が更に該カムホイールの該周辺に隣接して配置されたカム要素の円形配列を備えており、各カム要素は該操作用部材のフォローワーにより摺動して契合可能なカム面を有することを特徴とする請求項１４の組み合わせ錠。
【請求項１６】
該操作用部材（１２０）が十字状パターンで該ハウジング（２２）内で変位可能であることを特徴とする請求項１の組み合わせ錠。
【請求項１７】
該操作用部材（１２０）が操作用の指契合可能なノブ（３８）により操作されることを特徴とする請求項１６の組み合わせ錠。
【請求項１８】
該指契合可能なノブ（３８）が該ハウジング（２２）の前壁から突出することを特徴とする請求項１７の組み合わせ錠。
【請求項１９】
該操作用部材（１２０）が人間工学的に配向されることを特徴とする請求項１７の組み合わせ錠。
【請求項２０】
該操作用部材（１２０）が、該少なくとも１つのフォローワーが該カムホイールから契合解除される中立位置内へ偏倚されることを特徴とする請求項１６の組み合わせ錠。
【請求項２１】
該ハウジング内で、その中央軸の周りに平面的に配置された少なくとも２つの施錠用組立体（６６）を具備することを特徴とする請求項１の組み合わせ錠。
【請求項２２】
該施錠用部材（５６）が該中央軸の周りに角変位可能であることを特徴とする請求項２１の組み合わせ錠。
【請求項２３】
該施錠用部材（５６）が、各々がその遠位の端部に施錠用ラグ（５８）を装着した、複数のラジアルアームを有する十字状部材であることを特徴とする請求項２２の組み合わせ錠。
【請求項２４】
該施錠用ブリーチ（１４０）が該施錠用部材（５６）と一体であることを特徴とする請求項１の組み合わせ錠。
【請求項２５】
該施錠用ブリーチ（１４０）が該施錠用部材に旋回可能に関節式に連結されており、該施錠用部材のその施錠解除位置内への変位が、該施錠用ボルトの該施錠用ラッチからの契合解除への該施錠用ブリーチの対応する変位を課し、そして該施錠用部材のその施錠位置内への変位が、前記施錠用ラッチとの契合への該施錠用ブリーチの対応する変位を課すことを特徴とする請求項１の組み合わせ錠。
【請求項２６】
該施錠用ブリーチ（１４０）が少なくとも１つのラッチ契合部分を有して形成されたバーであり、該施錠位置で該ラッチ契合部分が該施錠用ラッチ（１５０，１５２）と契合しそれにより該施錠用ボルト（３０）を捕らえ、そして更に該施錠用ボルト（３０）に印加された軸方向引き力が該施錠用ブリーチ（１４０）の該ハウジング（２２）との契合への変位を課し、それにより前記軸方向引き力は、該軸方向力が該施錠用部材（５６）及び該少なくとも１つの施錠用組立体（６６）へ転送されないように、該施錠用ブリーチ（１４０）を該施錠位置で該ハウジング内で割り込ませることを特徴とする請求項２５の組み合わせ錠。
【請求項２７】
該施錠用ブリーチ（１４０）及び該ハウジング（２２）の各々がが鋸歯状部分（１５６，１６０）を有して形成され、それにより該鋸歯状部分の契合が該施錠位置で該施錠用ブリーチを割り込ませることを課すことを特徴とする請求項２６の組み合わせ錠。
【請求項２８】
該施錠用ラッチ（１５０，１５２）が該施錠用ボルト内に形成され、該施錠用ブリーチにより契合可能な凹部であることを特徴とする請求項２６の組み合わせ錠。
【請求項２９】
該施錠用ボルト（３０）の該凹部は該施錠用ボルトの縦軸線と交叉する滑り面を有して形成され、そして該施錠用ブリーチの該少なくとも１つのラッチ契合部分（１４４，１４６）は対応する傾斜面（１９８）を有して形成され、該施錠用ボルト（３０）の軸方向変位は該ハウジング内で該施錠用ブリーチを割り込ませることへの該施錠用ブリーチ（１４０）の組み合わされた軸方向の及び横の変位を課すことを特徴とする請求項２８の組み合わせ錠。
【請求項３０】
該施錠用ブリーチ（１４０）が該ハウジング内で割り込ませることから切り離されるよう偏倚されていることを特徴とする請求項２６の組み合わせ錠。
【請求項３１】
該リセット部材のレバーアーム（９０）が該少なくとも１つの施錠用組立体（６６）の各々の該リセットカム（７６）に接線方向力成分を印加し、それにより該組み合わされたディスク部材（７０）をリセット位置内へ回転させることを特徴とする請求項１の組み合わせ錠。
【請求項３２】
該少なくとも１つの施錠用組立体（６６）が、該施錠用ボルトが閉じられた時、自動的にスクランブルすることを特徴とする請求項１の組み合わせ錠。
【請求項３３】
該錠がなんきん錠（２０）であり、該施錠用ボルト（３０）がｕ字型の掛け金であることを特徴とする請求項１の組み合わせ錠。
【請求項３４】
該掛け金の両脚（３１）が該施錠用ブリーチ（１４０）により契合可能な施錠用ラッチ（１５０，１５２）を有して形成されることを特徴とする請求項３３の組み合わせ錠。
【請求項３５】
該施錠用ボルトが該錠ハウジングから取り外し可能な１つ脚のフアスナーであることを特徴とする請求項１の組み合わせ錠。
【請求項３６】
チェーン錠であり、該施錠用ボルトが該チェーンとリンクされることを特徴とする請求項３５の組み合わせ錠。
【請求項３７】
ビルトイン錠であり、該ハウジングがドア又はフレーム部材にボルト締めされることを特徴とする請求項１の組み合わせ錠。
【請求項３８】
小火器安全錠であり、該施錠用ボルトが該小火器の引き金ガードとの施錠用契合に適合することを特徴とする請求項１の組み合わせ錠。
【請求項３９】
該リセット部材（８８）が、各々がリセットカムと対応するリセットアーム（９０）を備えており、各リセットアームが該リセットカム（７６）の平坦部分に対応する平坦部分（９４）を有することを特徴とする請求項３１の組み合わせ錠。
【請求項４０】
該リセット部材（８８）が該掛け金（３０）により賦活されるリセットレバーにリンクされることを特徴とする請求項３１の組み合わせ錠。
【国際調査報告】
2005530063.tif 000022
2005530063.tif 000023